(57)【特許請求の範囲】
【請求項１】
矢に設けられる矢筈であって、
矢が当たると発光する発光手段を備えており、
当該発光手段は、電源と、光源と、矢が当たると上記光源を発光させる発光制御部と、を備え、
上記発光制御部は、矢が当たると、矢が当たったときの衝撃によって上記光源に電流を通す導電経路を形成するようにしてあることを特徴とする、
矢筈。
【請求項２】
矢が当たったときから一定時間経過した後に発光が止まるように構成されていることを特徴とする、
請求項１記載の矢筈。
【請求項３】
矢に設けられる矢筈であって、
矢が当たると発光する発光手段を備えており、
当該発光手段は、導電性を有し、電池を進退自在に収容する収容体と、当該収容体と電気的に接続されている光源と、を備え、
矢が当たると、矢が当たって停止したときの上記電池自身の慣性によって電池が上記収容体内部を動き、上記電池の端子が上記収容体に設けてある導電部に接触して、上記光源に電流を通す導電経路が形成されるようにしてあり、
矢が当たった後は、上記導電部に接触したときに受ける反作用によって電池が上記収容体内部を動き、上記電池の端子が上記収容体の導電部から離れて、上記光源に電流を通す導電経路が遮断されるようにしてあることを特徴とする、
矢筈。
【請求項４】
矢に設けられる矢筈であって、
電源と、
光源と、
矢が当たると上記光源を発光させるスイッチ装置と、
矢が当たったときの慣性で進行して上記スイッチ装置を入の状態とし、矢が当たった後に退行して上記スイッチ装置を切る位置まで移動するスイッチ操作体と、
上記スイッチ操作体が退行するときに、上記スイッチ操作体の移動を遅くするための抵抗を与える手段と、
を備えていることを特徴とする、
矢筈。
【請求項５】
矢に設けられる矢筈であって、
電源と、
光源と、
矢が当たると上記光源を発光させるスイッチ装置と、
矢が当たったときの慣性により、空間部を進行して上記スイッチ装置を入の状態とし、矢が当たった後に付勢手段により上記空間部を退行して上記スイッチ装置を切る位置まで移動するスイッチ操作体と、
矢が当たったときの慣性によって進行するスイッチ操作体により、上記空間部内の流体を空間部外へ排出する流体排出部と、
退行する上記スイッチ操作体に抵抗を与えるために、空間部外から空間部内へ導入する流体の量を制限する流体導入部と、
を備えていることを特徴とする、
矢筈。
【請求項６】
矢本体に着脱可能であることを特徴とする、
請求項１ないし５のいずれかに記載の矢筈。
【請求項７】
請求項１ないし６のいずれかに記載の矢筈を備えていることを特徴とする、
矢。
【発明の詳細な説明】
【０００１】
【発明の属する技術分野】
本発明は矢筈とそれを使用した矢及び矢の射的方法に関する。
更に詳しくは、射手が放った矢がどこに当たったかを確認しやすいようにした矢筈とそれを使用した矢及び矢の射的方法に関する。
また、矢の着地点（到達点）を確認しやすい矢筈を備えた矢を導入するためのコストも安価に抑えることができる矢筈とそれを使用した矢及び矢の射的方法に関する。
【０００２】
【従来技術】
標的に向けて矢を射る競技あるいはゲームとして、弓道、アーチェリー、ボーガン（クロスボーともいう）等が挙げられる。
例えば日本の伝統的競技の一つである弓道は、通常、射距離２８ｍから直径３６ｃｍの円形の的を矢で射るものである。そして、矢が的に当たったか否かは、練習時には射手本人によって、競技中には審判によっていずれも目視で行われている。
【０００３】
【発明が解決しようとする課題】
しかしながら、上記したように、射場から的までの距離は決して短いものではないため、例えば視力が落ちた人にとっては、矢の着地点（矢が的に当たったか否か、あるいはどの位置に着地したか）を目視で確認することは困難であった。
【０００４】
また屋外の競技場では、日が落ちて薄暗くなると、同じく矢の着地点を目視で確認することは困難であった。
【０００５】
更に、練習時においては、矢の着地点の確認が困難であると、次に矢をどの方向に射てば良いか（矢の射手方向）の判断に時間がかかり、リズムが狂って練習に集中しにくいといった問題もあった。
【０００６】
（本発明の目的）
そこで本発明の目的は、射手が放った矢がどこに当たったか（矢の着地点、つまり、矢が的に当たったか否か、あるいはどの位置に当たったか）を確認しやすい矢筈とそれを使用した矢及び矢の射的方法を提供することにある。
また、矢が当たった際の発光時間を長く保つことができるようにした矢筈とそれを使用した矢を提供することにある。
また本発明の他の目的は、矢の着地点を確認しやすい矢筈を備えた矢を導入するためのコストも安価に抑えることができる矢筈とそれを使用した矢を提供することにある。
その他の本発明の目的は、以下の説明によって明らかになるであろう。
【０００７】
【課題を解決するための手段】
上記目的を達成するために講じた本発明の手段は次のとおりである。
本発明は矢に設けられる矢筈であって、矢が当たると発光する発光手段を備えていることを特徴とするものである。
【０００８】
本発明に係る矢筈は、上記発光手段が、電源と、光源と、矢が当たると上記光源を発光させる発光制御部と、を備えていることを特徴とするものである。
【０００９】
本発明に係る矢筈は、矢が当たったときから一定時間経過した後に発光が止まるように構成されていることを特徴とするものである。
【００１０】
本発明は矢に設けられる矢筈であって、
矢が当たると発光する発光手段を備えており、
当該発光手段は、電源と、光源と、矢が当たると上記光源を発光させる発光制御部と、を備え、
上記発光制御部は、矢が当たると、矢が当たったときの衝撃によって上記光源に電流を通す導電経路を形成するようにしてあることを特徴とするものである。
【００１１】
本発明は矢に設けられる矢筈であって、
矢が当たると発光する発光手段を備えており、
当該発光手段は、導電性を有し、電池を進退自在に収容する収容体と、当該収容体と電気的に接続されている光源と、を備え、
矢が当たると、矢が当たって停止したときの上記電池自身の慣性によって電池が上記収容体内部を動き、上記電池の端子が上記収容体に設けてある導電部に接触して、上記光源に電流を通す導電経路が形成されるようにしてあり、
矢が当たった後は、上記導電部に接触したときに受ける反作用によって電池が上記収容体内部を動き、上記電池の端子が上記収容体の導電部から離れて、上記光源に電流を通す導電経路が遮断されるようにしてあることを特徴とするものである。
【００１２】
本発明は矢に設けられる矢筈であって、
電源と、
光源と、
矢が当たると上記光源を発光させるスイッチ装置と、
矢が当たったときの慣性で進行して上記スイッチ装置を入の状態とし、矢が当たった後に退行して上記スイッチ装置を切る位置まで移動するスイッチ操作体と、
上記スイッチ操作体が退行するときに、上記スイッチ操作体の移動を遅くするための抵抗を与える手段と、
を備えていることを特徴とするものである。
【００１３】
本発明は矢に設けられる矢筈であって、
電源と、
光源と、
矢が当たると上記光源を発光させるスイッチ装置と、
矢が当たったときの慣性により、空間部を進行して上記スイッチ装置を入の状態とし、矢が当たった後に付勢手段により上記空間部を退行して上記スイッチ装置を切る位置まで移動するスイッチ操作体と、
矢が当たったときの慣性によって進行するスイッチ操作体により、上記空間部内の流体を空間部外へ排出する流体排出部と、
退行する上記スイッチ操作体に抵抗を与えるために、空間部外から空間部内へ導入する流体の量を制限する流体導入部と、
を備えていることを特徴とするものである。
【００１４】
本発明に係る矢筈は、矢本体に着脱可能であることを特徴とするものである。
【００１５】
本発明に係る矢は、上記矢筈を備えていることを特徴とするものである。
【００１６】
本発明に係る矢は、矢が当たると発光する発光手段を備えていることを特徴とするものである。
【００１７】
本発明に係る矢の射的方法は、放った矢の着地点を矢から発せられる光で確認するようにしたことを特徴とするものである。
【００１８】
矢筈は、例えば弓道、アーチェリー、ボーガン等の矢に設けることもできるが、特にこれらに限定されない。
【００１９】
（作  用）
本発明によれば、射手が放った矢が的や地面等の対象に当たると、発光手段によって矢筈が光る。したがって、視力が落ちた人でも、矢がどこに当たったかを確認しやすい。また、矢が当たると発光するようになっているので、暗がりの競技場や練習場でも、矢がどこに当たったかを確認しやすい。
【００２０】
電池等の電源と、光源と、矢が当たると上記光源を発光させる発光制御部を備えている矢筈及びそれを使用した矢では、射手が放った矢が的や地面等の対象に当たると、発光制御部によって光源に電気が流れ、矢筈が光る。
また、発光制御部は、例えば矢が当たると、矢が当たったときの衝撃によって光源に電流を通す導電経路を形成し、矢が当たった後は、受けた衝撃に対する反作用によって上記導電経路を遮断するように構成することもできる。
【００２１】
矢が当たったときから一定時間経過した後に発光が止まるように構成されているものでは、矢を続けて（連続して）放つ場合、新たに矢を放つときには、先に放った矢の発光は既に終わっているので、新たに放った矢がどこに当たったかが確認しやすい（放った矢の混同を防止することができる）。
【００２２】
導電性を有し、電池を進退自在に収容する収容体と、収容体と接続されている光源と、を備えている発光手段を有する矢筈及びそれを使用した矢では、射手が放った矢が的や地面等の対象に当たると、電池自身の慣性によって電池が収容体内部を動き、上記電池の端子が収容体に設けてある導電部に接触して、上記光源に電流を通す導電経路が形成される。これにより、光源が発光し、矢筈が光る。また、矢が対象に当たった後は、上記導電部に接触したときに受ける反作用によって電池が収容体内部を動き、電池の端子が収容体の導電部から離れて、上記光源に電流を通す導電経路が遮断される。これにより、光源は発光せず、矢筈は光らなくなる。
【００２３】
矢が当たると光源を発光させるスイッチ装置と、矢が当たったときの慣性で進行してスイッチ装置を入の状態とし、矢が当たった後に退行してスイッチ装置を切る位置まで移動するスイッチ操作体を備えているものでは、スイッチ操作体がスイッチ装置を切る方向に退行するときに、スイッチ操作体の移動を遅くするための抵抗が与えられるので、スイッチ装置が切の状態なるまでにかかる時間が長くなる。したがって、当たった際の光源の発光時間を長く保つことができ、暗がりの競技場や練習場でも、矢がどこに当たったかがより一層分かりやすい。
【００２４】
矢が当たったときの慣性によって進行するスイッチ操作体により、空間部内の流体を空間部外へ排出する流体排出部と、退行するスイッチ操作体に抵抗を与えるために、空間部外から空間部内へ導入する流体の量を制限する流体導入部と、を備えているものでは、矢が当たった後、付勢手段によりスイッチ操作体が退行することで空間部に生じる負圧によって流体導入部から流体が導入されるが、その量は制限されるため、流体は少量ずつしか空間部内へ導入されない。このため、スイッチ操作体は矢が当たったときの動きと比べゆっくりと復帰する。したがって、スイッチ装置が切の状態なるまでにかかる時間は長くなり、当たった際の光源の発光時間は長く保たれる。
【００２５】
矢本体に着脱可能である矢筈及びそれを使用した矢によれば、発光装置を備えた矢筈を今まで使用していた既存の矢に設けることもできるし、発光装置を備えた矢筈を通常の矢筈と取り替えて矢を使用することができる。
【００２６】
【発明の実施の形態】
本発明を図面に示した実施の形態に基づき更に詳細に説明する。
［実施の形態１］
図１は本発明に係る矢の第１の実施の形態を示す側面視説明図、
図２は矢を矢本体と矢筈とに分離した状態を示す、矢の基端側の一部断面説明図、
図３は図１に示す矢の基端側を断面して内部構造を表した拡大概略説明図である。
【００２７】
矢１は、矢本体１０と、矢本体１０に着脱可能に設けてある矢筈１５を有している。矢本体１０は、矢尻１２、矢軸１３、矢羽１４を備えている。矢筈１５は、矢軸１３の基端部に設けてある開口部１３１（図２を参照）に嵌め込んで固定されている。
なお、矢尻１２は板付、鏃、チップ、ポイントともいう。矢軸１３は矢柄、箆、シャフト、ボディともいう。矢筈１５は弓筈、あるいは単に筈ともいう。
【００２８】
矢筈１５は、弓の弦をかける切欠部１５１（図２，３を参照）を備えた矢筈本体１５０と、矢１が的や地面等の対象に当たった際に上記矢筈本体１５０を光らせる発光装置２を備えている。発光装置２は、矢本体１０に矢筈１５を設けた際に、矢軸１３内部の基端部分（矢羽１４が設けられている部分）に位置する。発光装置２は矢筈本体１５０にねじ込まれて固定されている。図３に示される符号２０は、発光装置２（後述する電池ケース４）の基端側の外周壁に形成された螺旋溝を示している。
【００２９】
矢筈本体１５０は、後述する発光ダイオード２１から発せられる光に対して透過性（透光性）を有する材料（例えば、プラスチック等）によって形成されている。矢筈本体１５０には、発光装置２を構成する発光ダイオード２１が設けられる取付穴１５２（図１，２では見えず、図３を参照）が形成されている。
【００３０】
なお、矢筈本体１５０の材料としては、光に対する透過性（例えば透明または半透明等）を有する材料以外に、部分的に透明または半透明を有しているもの、蓄光性を有する材料等を挙げることができるが、特にこれらに限定されない。
また、矢筈本体１５０に孔（図示省略）を開け、発光ダイオード２１から発せられる光をその孔から外に照射するようにしても良い。
【００３１】
更に、図３を参照して、発光装置２について詳細に説明する。
発光装置２は、ピン形の電池３を進退自在に収容する、一端側が塞がれた筒状の収容体である電池ケース４を備えている。本実施の形態では、電池３として、松下電池工業株式会社製のリチウム電池（商品番号 BR425/2B）を使用しているが、特にこれに限定されない。電池ケース４はアルミニウム製で導電性を有している。電池ケース４内部には、電池３に固定される絶縁性で円形状の電池ガイド板６を間に挟んだ状態で、圧縮コイルバネ５Ａ，５Ｂが長手方向に並設されている。
【００３２】
電池ケース４の開口部側（図３で右端側）には、円形状で絶縁性の蓋体（以下、ケース蓋４１という）が設けてある。ケース蓋４１には上記した圧縮コイルバネ５Ａ，５Ｂのうち、図３で右側に位置する圧縮コイルバネ５Ａの一端部が圧接している。一方、電池ケース４の先端部内面に設けてある円形状のバネ取付板４２には、図２で左側に位置する圧縮コイルバネ５Ｂの一端部が圧接している。
【００３３】
電池ガイド板６は、変形性（柔軟性や弾性）を有するプラスチックで形成されている。電池ガイド板６の中央には、円形状の貫通孔６１が形成されている。この貫通孔６１と電池ガイド板６の周縁部の間には、切欠部（図示省略）が形成されている。電池ガイド板６を変形させ切欠部を広げることで、電池３を電池ガイド板６の貫通孔６１に挟み込んで固定することができる。貫通孔６１には電池３の凹み部３１が嵌着される。なお、貫通孔６１の周縁部分に放射状に切込み（図示省略）を入れることにより、電池３を貫通孔６１に押し込んで固定することもできる。
【００３４】
このような構成により、電池３は圧縮コイルバネ５Ａ，５Ｂの伸縮に伴い、電池ケース４の長手方向に沿って前後（矢印Ｉ方向及びその逆方向）に進退可能となっている。
【００３５】
電池ケース４の先端部側（図３で左端側）には、電池３が矢印Ｉ方向に移動した際に電池３の正極端子と接する導電部である圧縮コイルバネ（以下、正極コイルバネ４３という）が設けてある。正極コイルバネ４３は、先部側がすぼまるように形成されている。正極コイルバネ４３は、常態では電池３の正極端子と接していないが、放たれた矢が的や地面に当たると、矢が当たって停止したときの電池３自身の慣性によって（当たったときの衝撃によって）、電池３が矢印Ｉ方向に移動した際に、接するように構成されている。
【００３６】
ケース蓋４１のほぼ中央には、円形状の切欠部４１１が形成されている。切欠部４１１には、一端側が塞がれた筒状で導電性を有する銅製のバネ押さえ７１が設けてある。このバネ押さえ７１には、電池３の負極側に位置する導電性の圧縮コイルバネ（以下、負極コイルバネ７２という）の一端部が嵌め込まれて固定されている。この負極コイルバネ７２の他端部には、ほぼ中央に棒状突起７３１を備えた導電性を有する銅製のキャップ７３が設けてある。棒状突起７３１によりキャップ７３に構成される穴部７３２には、電池３の棒状に形成された負極端子３２が挿入されている。
【００３７】
放たれた矢１が的や地面に当ると、電池３は矢印Ｉ方向に移動し、その後、圧縮コイルバネ５Ａ，５Ｂの付勢力によって矢印Ｉ方向と逆方向に戻る。その際、電池３の負極端子３２がケース蓋４１等に接触して破損することを、上記した負極コイルバネ７２が緩衝して防止する。
【００３８】
バネ押さえ７１には、発光ダイオード２１から延びる負極導電体であるリード線２１１が取り付けてある。一方、発光ダイオード２１から延びる正極導電体であるリード線２１２は、ケース蓋４１の外側に位置し、電池ケース４端部に設けてある導電性を有する取付金具４４に取り付けてある。
なお、正極コイルバネ４３、圧縮コイルバネ５Ａ，５Ｂ、電池ガイド板６、負極コイルバネ７２等によって、発光ダイオード２１を発光させる発光制御部が構成される。
【００３９】
以上のような構成により、電池ケース４内の電池３が矢印Ｉ方向に移動して、電池３の正極端子が正極コイルバネ４３と接触した場合には、電流は正極端子から正極コイルバネ４３、電池ケース４、取付金具４４、発光ダイオード２１、バネ押さえ７１、負極コイルバネ７２、キャップ７３等の導電経路を経由して、電池３の負極端子３２に流れる。これにより、発光ダイオード２１が発光し、矢筈１５が光る。
【００４０】
正極コイルバネ４３と接した電池３は、その後、正極コイルバネ４３に接触したときに受ける反作用（衝撃に対する反動）及び圧縮コイルバネ５Ａ，５Ｂの付勢力により、矢印Ｉ方向と逆方向に移動して正極コイルバネ４３と離れる。これによって、発光ダイオード２１が発光しなくなり、矢筈１５は光らなくなる。
【００４１】
なお、使用する圧縮コイルバネ５Ａ，５Ｂや負極コイルバネ７２の付勢力やバネの長さ等を調整することにより、矢１が当たったときに、電池３が前後に繰り返して移動（振動）して、正極コイルバネ４３と何度も接触するように形成することができる。この構造によれば、発光ダイオード２１を一定の時間点滅させることができるので、矢がどこに当たったかがより一層確認しやすい。
【００４２】
また電池３は、圧縮コイルバネ５Ａ，５Ｂによって前後方向（図３で左右方向）に付勢されている。これにより、矢１が放たれて当たった際に電池３が受ける衝撃を圧縮コイルバネ５Ａ，５Ｂが緩衝（吸収）して和らげ、矢筈１５の破損は防止される。
【００４３】
（作  用）
矢が放たれて的や地面に当たった際の衝撃によって、電池ケース４内の電池３が電池ガイド板６と共に矢印Ｉ方向に移動し、電池３の正極端子が正極コイルバネ４３と接する。これにより、導電経路に電流が流れて発光ダイオード２１が発光し、矢筈１５部分が光る。
【００４４】
したがって、視力が落ちた人でも、矢１がどこに当たったかを確認しやすい。また、矢１が当たると発光するようになっているので、暗がりの競技場や練習場でも、矢１がどこに当たったかを確認しやすい。
また、練習時においては、矢１の着地点が確認しやすいので、次に矢１をどの方向に射てば良いかが容易に判断でき、リズムが狂って練習に集中できないといった不都合は生じにくい。
一方、試合時においても、矢１がどこに当たったかを遠方から確認しやすいので、審判は離れた位置からでも採点しやすく、競技を円滑に進めることができるといった利点がある。
【００４５】
更に、矢筈１５は矢本体１０に着脱可能であるので、矢筈１５を今まで使用していた既存の矢に設けるようにすれば、既存の矢をそのまま使用することができ、発光装置２を備えた矢１を導入するためのコストも安価に抑えることができる。
また、例えば競技場や練習場が明るく、放った矢の着地点が容易に確認できるような場合は、発光装置２を備えた矢筈１５を通常の矢筈（発光装置が設けられていない）に取り替えて矢を使用することができる。
【００４６】
［実施の形態２］
本発明を図面に示した実施の形態に基づき更に詳細に説明する。
図４は本発明に係る矢の第２の実施の形態を示しており、矢の基端側を断面して内部構造を表した拡大概略説明図である。
なお、第１の実施の形態と同一または同等箇所には同一の符号を付して示している。また、第１の実施の形態で示してある箇所については、説明を省略し、主に相異点を説明する。
【００４７】
矢１ａでは、第１の実施の形態に係る矢（図３参照）と比べ、矢１ａが的や地面等の対象に当たった際の発光ダイオード２１の発光時間が長い。
【００４８】
具体的には、図４に示すように、発光ダイオード２１を光らせる発光装置２ａの構造が第１の実施の形態と相違している。
即ち、第１の実施の形態では、スイッチの役割を果たしたピン形の電池３は、本実施の形態では進退または移動せずに固定されている。そして、その代わりに符号８で示すスイッチ操作体が第１空間部５０及び第２空間部６０内を進退し、スイッチ装置を構成するスイッチ開閉片３３ａ，３３ｂを開閉する。
以下、発光装置２ａの各構成部材について、順を追って詳しく説明する。
【００４９】
発光装置２ａの内部には、上記したように、ピン形の電池３が固定して設けてある。図４で電池３の右端部に設けてある棒状の負極端子３２には、有底筒状の銅製のキャップ７３ａが嵌め込んで固定してある。
【００５０】
キャップ７３ａには、発光ダイオード２１から延びる負極導電体であるリード線２１１ａが取り付けてある。他方、発光ダイオード２１から延びる正極導電体であるリード線２１２ａは、電池３の正極端子側に延長して設けられ、上記したスイッチ開閉片の一方３３ａの基端部に接続されている。スイッチ開閉片の他方３３ｂの基端部は、正極導電体であるリード線２１３で、電池３の正極端子と接続されている。
【００５１】
以上、電池３に接続された各リード線２１１ａ，２１２ａ，２１３とスイッチ開閉片３３ａ，３３ｂ等によって、発光ダイオード２１に電流を通す導電または通電経路が構成される。符号２２は、発光ダイオード２１を固定する充填材を示しており、例えば発泡プラスチック等の柔軟性、可撓性または変形性を有する材料で形成されている。これについては、第１の実施の形態に係る矢筈１５ついても採用することができる。
【００５２】
上記したスイッチ開閉片３３ａ，３３ｂは、先部側が第２空間部内６０（図４で右側）へ突出して設けてある。スイッチ開閉片３３ａ，３３ｂは、柔軟性、可撓性または変形性を有する導電性の素材（例えば銅合金等の金属）で形成され、両端が外へ反った形状となっている。
【００５３】
各スイッチ開閉片３３ａ，３３ｂは内側に向けてそれぞれ付勢され、通常、二枚重ね合わさった状態となるが、図４に示す矢１ａを射る前の状態では、第２空間部６０内に突き出た後述するスイッチ操作体８の操作部８１がスイッチ開閉片３３ａ，３３ｂの間に挿入され、スイッチ開閉片３３ａ，３３ｂ同士は接していない。そして、矢１ａが当たったことによる慣性によってスイッチ操作体８が矢印II方向に移動し、その操作部８１がスイッチ開閉片３３ａ，３３ｂから外れれば、スイッチ開閉片３３ａ，３３ｂ同士は接し、導電経路が形成される。
【００５４】
第２空間部６０には、発光装置２ａの外部と連通する孔（以下、「連通孔６０１」という）が設けてある。連通孔６０１についての作用は後述する。
【００５５】
発光装置２ａの先部側内部には、上記したように、スイッチ操作体８が密接した状態で摺動しながら進退する第１空間部５０及び第２空間部６０が設けてある。図４でスイッチ操作体８の左側に第１空間部５０が構成され、スイッチ操作体８の右側に第２空間部６０が構成されている。第１空間部５０と第２空間部６０の所要の位置（図４では空間部５０，６０のやや後部寄り）には、孔７０１をほぼ中央に有する停止部材７０が設けてある。
【００５６】
スイッチ操作体８は、円柱状のスイッチ操作体本体８２の基端側（図４で右側）のほぼ中央に、上記した操作部８１を有している。操作部８１は、先部側に向けて尖った形状である。スイッチ操作体８は、矢１ａが当たった際に第１空間部５０を慣性で移動できる所要の重さを有している。スイッチ操作体８は、例えばプラスチックや金属、あるいはそれらの組み合わせ等やその他の材料で形成することができる。
【００５７】
第１空間部５０内の先部側（図４で左端側）には、付勢手段であるコイルバネ５０１（本実施の形態では圧縮コイルバネ）の一端部が固定されている。コイルバネ５０１の他端部は、スイッチ操作体８の先部側に固定または当接されており、スイッチ操作体８を矢印II方向と逆方向に付勢している。よって、矢１ａを射る前の常態では、スイッチ操作体８は矢１ａの後方部側に付勢され、上記した停止部材７０に当接して停止している。そして、スイッチ操作体８の操作部８１は、上記したように、スイッチ開閉片３３ａ，３３ｂの間に入り込んでおり、導電経路は遮断されている。
【００５８】
符号５０２は緩衝体を示している。この緩衝体５０２は、矢１ａが放たれて的や地面等に当たった際に、進行するスイッチ操作体８と接触して発光装置２ａが受ける衝撃を緩衝（吸収）する。緩衝体５０２は筒状で、ゴムや柔軟性、可撓性または変形性を有するプラスチック等で形成されている。
なお、コイルバネ５０１によって、スイッチ操作体８が与える衝撃が十分に緩衝されるのであれば、緩衝体５０２は必ずしも必要ではない。
【００５９】
発光装置２ａの先端部のほぼ中央には、主に第１空間部５０内の空気を発光装置２ａの外へ排出する流体排出部である孔（以下、「空気排出孔９」という）が設けてある。この空気排出孔９には、後述する逆止弁装置９１の弁体９００の山形部分が入り込んだ状態で設けてある。
【００６０】
逆止弁装置９１は全体が断面略「コ」状に形成され、発光装置２ａの先部側に嵌め込んで固定されている。詳しくは、逆止弁装置９１の開口部側の端部側が、発光装置２ａの周面部の先部側に嵌め込んである。逆止弁装置９１は、例えばゴムや柔軟性（変形性）のプラスチック等で形成されているが、特にこれに限定するものではない。逆止弁装置９１により、第１空間部５０内の空気は外へ排出されるが、外の空気の第１空間部５０内へ流入は防止される。
【００６１】
逆止弁装置９１の弁体９００の周りには、第１空間部５０内の空気を外へ排出する孔９０１が所要間隔で複数設けてある。そして、孔９０１と孔９０１の間の残りの部分で、弁体９００が逆止弁装置９１の本体と繋がっている。弁体９００は、空気排出孔９側が山形に突き出ている。
そして、スイッチ操作体８が矢印II方向に移動して第１空間部５０が高圧になると、弁体９００が外へ押されて、空気排出孔９と弁体９００の周りの孔９０１,…が連通し、空気が第１空間部５０から外へ排出される。
一方、第１空間部５０が低圧のときは、弁体９００が空気排出孔９側に引っ張れて空気排出孔９を塞ぎ、外から第１空間部５０内へ空気の流入が防止される。
【００６２】
また、上記した空気排出孔９とは別に、発光装置２ａの先端部の所要の箇所には、主に発光装置２ａ外から第１空間部５０に流体導入部である空気を導入する孔（以下、「空気導入孔１００」という）が設けてある。この空気導入孔１００は、上記した空気排出孔９よりも径が小さい。
これにより、スイッチ操作体８が矢印II方向に移動すると、第１空間部５０内の空気は逆止弁装置９１から発光装置２ａの外へ主に排出される。ただし、径が小さな空気導入孔１００からも空気の一部が排出される。
【００６３】
なお、本実施の形態では、発光装置２ａは、停止部材７０が設けてある部分で連結して容易に製造することができる。符号７０２は螺旋溝を示し、ねじ込み式により発光装置２ａは連結される。
【００６４】
（作  用）
図４に示す矢を射る前の状態では、スイッチ操作体８の操作部８１は、スイッチ開閉片３３ａ，３３ｂの間に挿入され、スイッチ開閉片同士３３ａ，３３ｂは接していない。よって、発光ダイオード２１に電流を通す導電経路が遮断されている。
【００６５】
矢が放たれて的や地面に当たった場合では、その衝撃によって、第１空間部５０及び第２空間部６０内のスイッチ操作体８が、コイルバネ５０１の付勢に抗して矢印II方向に移動する。これにより、スイッチ操作体８の操作部８１がスイッチ開閉片３３ａ，３３ｂから外れて互いに接し、導電経路が形成される。導電経路が形成されることにより、発光ダイオード２１が発光して矢筈１５部分が光る。
【００６６】
また、スイッチ操作体８が矢印II方向に移動することによって、第１空間部５０の空気が瞬時または短時間で、逆止弁装置９１が設けてある空気排出孔９を通り、発光装置２ａの外へ排出される。なお、空気導入孔１００からも空気の一部が多少排出される。これにより、第１空間部５０が占める体積は小さくなり、第２空間部６０が占める体積は大きくなる。第２空間部６０には、連通孔６０１が設けてあるので、スイッチ操作体８の移動が妨げられることはない。
【００６７】
次いで、スイッチ操作体８は、緩衝体５０２に接触したときに受ける反作用（衝撃に対する反動）及びコイルバネ５０１の付勢力により、矢印II方向と逆方向に戻る。この際、逆止弁装置９１によって空気排出孔９から第１空間部５０へは、空気が入らないようになっているため、空気は上記空気排出孔９に比べて径が小さな空気導入孔１００からしか流れ込むことができない。
【００６８】
よって、空気導入孔１００からは少量ずつしか空気が導入されず、スイッチ開閉片３３ａ，３３ｂを切る方向に退行するスイッチ操作体８に、抵抗が与えられる。このため、スイッチ操作体８は、衝突時の動きと比べてゆっくりと復帰する。そして、スイッチ操作体８の操作部８１は、再びスイッチ開閉片３３ａ，３３ｂの間に挿入され、導電経路は遮断される。これによって、発光ダイオード２１の発光が停止する。
【００６９】
以上のように、本実施の形態では、矢１ａが的や地面等に当たった際の導電経路形成の時間が長く確保されるので、発光ダイオード２１の発光時間が長い。したがって、暗がりの競技場や練習場でも、矢１ａがどこに当たったかがより一層分かりやすい。
【００７０】
なお、本実施の形態では、第１空間部５０から空気が排出または流入するように設計されているが、流体は空気に限定するものではなく、水や油やその他の液体を使用することができる。その場合、第１空間部５０から排出される液体を格納する空間部を発光装置２ａに別途設ける。
【００７１】
また、径の小さな空気導入孔１００の大きさを調整できる手段を設ければ、衝突後のスイッチ操作体８が戻る速さを調整することができる。これにより、衝突後の発光ダイオード２１の発光時間を調整することができる。空気導入孔１００の大きさを調整できる手段としては、弁体が針状であるニードル弁等の各種の公知技術を採用することができる。
【００７２】
本明細書で使用している用語と表現はあくまで説明上のものであって、限定的なものではなく、上記用語、表現と等価の用語、表現を除外するものではない。また、本発明は図示の実施の形態に限定されるものではなく、技術思想の範囲内において種々の変形が可能である。
【００７３】
【発明の効果】
本発明は上記構成を備え、次の効果を有する。
（ａ）本発明によれば、射手が放った矢が的や地面等の対象に当たると、発光手段によって矢筈が光る。したがって、視力が落ちた人でも、矢がどこに当たったかを確認しやすい。また、暗がりの競技場や練習場でも、矢がどこに当たったかを確認しやすい。更に、練習時においては、矢の着地点が確認しやすいので、次に矢をどの方向に射てば良いかが容易に判断でき、リズムが狂って練習に集中できないといった不都合は生じにくい。一方、試合時においても、矢がどこに当たったかを遠方から確認しやすいので、審判は離れた位置からでも採点しやすく、競技を円滑に進めることができるといった利点がある。
【００７４】
（ｂ）矢が当たった一定時間後に発光しないようにしてあるものは、矢を続けて放つ場合、新たに矢を放つときには、先に放った矢の発光は既に終わっているので、新たに放った矢がどこに当たったかが確認しやすい。
【００７５】
（ｃ）矢本体に着脱可能である矢筈及びそれを使用した矢によれば、発光装置を備えた矢筈を今まで使用していた既存の矢に設けるようにすれば、既存の矢をそのまま使用することができ、発光装置を備えた矢を導入するためのコストも安価に抑えることができる。また、例えば競技場や練習場が明るく、放った矢の着地点が容易に確認できるような場合は、発光装置を備えた矢筈を通常の矢筈（発光装置が設けられていない）に取り替えて矢を使用することができる。
【００７６】
（ｄ）矢が的や地面等の対象に当たった際の発光時間を長く保つことができるものでは、暗がりの競技場や練習場でも、矢がどこに当たったかがより一層分かりやすい。
【００７７】
（ｅ）本発明に係る矢の射的方法によれば、放った矢の着地点を矢から発せられる光で確認できるので、矢の正確な着地点を容易に確認することができる。したがって、視力が落ちた人でも、矢がどこに当たったかを確認しやすい。また、暗がりの練習場でも、矢がどこに当たったかを確認しやすい。よって、視力の良い悪いに関わらず、また練習場が暗いかどうかに関わらず、弓道やアーチェリー等の練習に打ち込める。更に、本発明に係る矢の射的方法を競技にも採用すれば（競技方法として採用すれば）、審判は離れた位置からでも正確に採点しやすく、競技を円滑に進めることができる。
【００７８】
【図面の簡単な説明】
【図１】本発明に係る矢の第１の実施の形態を示す側面視説明図。
【図２】矢を矢本体と矢筈とに分離した状態を示す、矢の基端部の一部断面説明図。
【図３】図１に示す矢の基端側を断面して内部構造を表した拡大概略説明図。
【図４】本発明に係る矢の第２の実施の形態を示しており、矢の基端側を断面して内部構造を表した拡大概略説明図。
【符号の説明】
１  矢
１０  矢本体
１２  矢尻
１３  矢軸
１３１  開口部
１４  矢羽
１５  矢筈
１５０  矢筈本体
１５１  切欠部
１５２  取付穴
２  発光装置
２０  螺旋溝
２１  発光ダイオード
２１１  リード線
２１２  リード線
３  電池
３１  凹み部
３２  負極端子
４  電池ケース
４１  ケース蓋
４１１  切欠部
４２  バネ取付板
４３  正極コイルバネ
４４  取付金具
５Ａ，５Ｂ  コイルバネ
６  電池ガイド板
６１  貫通孔
７２  負極コイルバネ
７３  キャップ
７３１  棒状突起
７３２  穴部
２ａ  発光装置
９  空気排出孔
９１  逆止弁装置
９００  弁体
９０１  孔
３３ａ，３３ｂ  スイッチ開閉片
５０  第１空間部
６０  第２空間部
７０  停止部材
７０１  孔
７３ａ  キャップ
８  スイッチ操作体
８１  操作部
８２  スイッチ操作体本体
１００  空気導入孔
２１１ａ  リード線
２１２ａ  リード線
２１３  リード線
２２  充填材
５０１  コイルバネ
５０２  緩衝体
６０１  連通孔
７０２  螺旋溝
【図１】
0003759070.tif 000002
【図２】
0003759070.tif 000003
【図３】
0003759070.tif 000004
【図４】
0003759070.tif 000005